(57)【要約】【課題】放送受信機のチャンネルの選局操作だけで、放送番組に連動したコンテンツを自動的に提示することができるコンテンツ提示装置、コンテンツ提示方法及びコンテンツ提示プログラムを提供する。【解決手段】コンテンツ提示装置２は、放送受信機１のチャンネル情報と、コンテンツの所在情報を提供する所在情報提供サーバ５に対する問い合わせ情報とを関連付けた問い合わせ情報変換表２２ａを参照して、問い合わせ情報取得部２３ａが、放送受信機１のチャンネル情報に対応する問い合わせ情報を取得し、所在情報取得部２３ｂが、その問い合わせ情報を所在情報提供サーバ５に送信することでコンテンツの所在情報を取得し、コンテンツ取得部２３ｃがコンテンツサーバ６からコンテンツを取得することを特徴とする。【選択図】      図２
2004318322.tif 000002
【特許請求の範囲】
【請求項１】
放送番組に連動したコンテンツを提供するコンテンツサーバから、ネットワークを介して、前記コンテンツを取得し提示するコンテンツ提示装置であって、
前記放送番組を受信する放送受信機のチャンネル情報と、前記コンテンツの所在情報を提供する所在情報提供サーバに対する問い合わせ情報とを関連付けた、問い合わせ情報変換表を記憶した変換表記憶手段と、
前記放送受信機において選局されたチャンネル情報を取得するチャンネル情報取得手段と、
前記問い合わせ情報変換表を参照して、前記チャンネル情報に対応する問い合わせ情報を取得する問い合わせ情報取得手段と、
この問い合わせ情報取得手段で取得した問い合わせ情報を、前記所在情報提供サーバへ送信し、前記コンテンツの所在情報を取得する所在情報取得手段と、
この所在情報取得手段で取得したコンテンツの所在情報に基づいて、前記コンテンツサーバからコンテンツを取得するコンテンツ取得手段と、
このコンテンツ取得手段で取得したコンテンツを表示データとして出力するコンテンツ出力手段と、
を備えていることを特徴とするコンテンツ提示装置。
【請求項２】
前記問い合わせ情報変換表を前記変換表記憶手段に登録する変換表登録手段を備え、
前記変換表登録手段が、視聴者の視聴地域及び放送受信機の種類に基づいて、前記問い合わせ情報変換表を特定し、前記変換表記憶手段に登録することを特徴とする請求項１に記載のコンテンツ提示装置。
【請求項３】
放送番組に連動したコンテンツを提供するコンテンツサーバから、ネットワークを介して、前記コンテンツを取得し提示するコンテンツ提示方法であって、
前記放送番組を受信する放送受信機において選局されたチャンネル情報を取得するチャンネル情報取得ステップと、
このチャンネル情報取得ステップで取得したチャンネル情報と、前記コンテンツの所在情報を提供する所在情報提供サーバに対する問い合わせ情報とを関連付けた、問い合わせ情報変換表を参照して、前記チャンネル情報に対応する問い合わせ情報を取得する問い合わせ情報取得ステップと、
この問い合わせ情報取得ステップで取得した問い合わせ情報を、前記所在情報提供サーバへ送信し、前記コンテンツの所在情報を取得する所在情報取得ステップと、
この所在情報取得ステップで取得したコンテンツの所在情報に基づいて、前記コンテンツサーバからコンテンツを取得するコンテンツ取得ステップと、
このコンテンツ取得ステップで取得したコンテンツを表示データとして出力するコンテンツ出力ステップと、
を含んでいることを特徴とするコンテンツ提示方法。
【請求項４】
放送番組に連動したコンテンツを提供するコンテンツサーバから、ネットワークを介して、前記コンテンツを取得し提示するために、コンピュータを、
前記放送番組を受信する放送受信機において選局されたチャンネル情報を取得するチャンネル情報取得手段、
前記チャンネル情報と、前記コンテンツの所在情報を提供する所在情報提供サーバに対する問い合わせ情報とを関連付けた、問い合わせ情報変換表を参照して、前記チャンネル情報に対応する問い合わせ情報を取得する問い合わせ情報取得手段、
この問い合わせ情報取得手段で取得した問い合わせ情報を、前記所在情報提供サーバへ送信し、前記コンテンツの所在情報を取得する所在情報取得手段、
この所在情報取得手段で取得したコンテンツの所在情報に基づいて、前記コンテンツサーバからコンテンツを取得するコンテンツ取得手段、
このコンテンツ取得手段で取得したコンテンツを表示データとして出力するコンテンツ出力手段、
として機能させることを特徴とするコンテンツ提示プログラム。
【発明の詳細な説明】
【０００１】
【発明の属する技術分野】
本発明は、コンテンツを提供するコンテンツサーバから、ネットワークを介して、放送番組に連動したコンテンツを取得し提示するコンテンツ提示装置、コンテンツ提示方法及びコンテンツ提示プログラムに関するものである。
【０００２】
【従来の技術】
従来、テレビ、ラジオ等の放送番組において、その放送番組に連動（関連）したコンテンツを、インターネット上のＷＷＷ（Ｗｏｒｌｄ  Ｗｉｄｅ  Ｗｅｂ）サイトを使って視聴者に提供するサービスが行われている。なお、このＷＷＷサイトへのアクセスには、インターネット環境に接続可能なパーソナルコンピュータ（パソコン）等の利用者端末が使用されている。
【０００３】
また、放送中の字幕やアナウンスによって案内されるネットワーク上のコンテンツを閲覧するには、視聴者が利用者端末に対して、キーボード等の入力装置から、コンテンツの所在であるＵＲＬ（Ｕｎｉｆｏｒｍ  Ｒｅｓｏｕｒｃｅ  Ｌｏｃａｔｏｒ）と呼ばれる文法で示された「ホームページ・アドレス」を、直接入力することによりアクセスし、閲覧する方法がとられている。
【０００４】
このＵＲＬ入力の手間を省くことを目的として、放送番組に連動するコンテンツのネットワーク上の所在情報（例えばＵＲＬ）を、放送受信機に提供する技術が存在する。この技術は、放送波にネットワーク上のコンテンツの所在情報を重畳させて伝送し、放送受信機側で専用のデコーダを使用して所在情報を取り出して利用するものである。例えば、ＵＲＬ等のコンテンツ所在情報を、テレビ信号のＶＢＩ（Ｖｅｒｔｉｃａｌ  Ｂｌａｎｋｉｎｇ  Ｉｎｔｅｒｖａｌ：垂直帰線消去期間）に格納して送信する技術（例えば、特許文献１参照。）や、デジタル放送のメタデータとして送信する技術（例えば、特許文献２参照。）が開示されている。
【０００５】
また、ＵＲＬ等の所在情報を提供する他の技術としては、時間連動型コンテンツ情報データベースを用いたネットワークサービスにより、放送時刻に連動したコンテンツを提供する技術が存在する。この技術では、まず、放送番組の放送時刻と、その放送番組に対応するネットワーク上のコンテンツのＵＲＬ情報（所在情報）とを関連付けた、時間連動型のコンテンツ情報データベースを有するナビゲーションサーバを用意する。
【０００６】
そして、ナビゲーションサーバが、利用者端末からの要求に応じて、要求された時刻の放送番組に連動（関連）するコンテンツのＵＲＬ情報を、利用者端末に対して返信する。そして、利用者端末が、ナビゲーションサーバからの返信により取得したＵＲＬ情報に基づいて、ネットワーク上のコンテンツに対してアクセスを行うことによって、視聴者は利用者端末上でコンテンツを閲覧することが可能になっている（例えば、特許文献３参照。）。
【０００７】
また、放送受信機でチャンネルの選局操作を行うだけで、放送受信機と利用者端末とが自動的に連携して、放送番組に連動（関連）したコンテンツを提示する技術が存在する。この技術では、ネットワーク上に特許文献３と同様の情報提供サーバ（ナビゲーションサーバ）を用意し、放送受信機で選択されたチャンネル情報を、ホームゲートウェイを介して情報提供サーバへ送ることによって、利用者が放送受信機でチャンネルを選局するだけで、利用者端末上にチャンネル（放送番組）に連動したコンテンツを自動的に表示させるものである（例えば、特許文献４参照。）。
【０００８】
【特許文献１】
特開平１０−２５７４５５号公報（第４−７頁、第１及び８図）
【特許文献２】
特開２００１−１８４２８５号公報（第４−７頁、第１−３図）
【特許文献３】
特開２００２−１８３０２６号公報（第１−２頁、第１９−２０図）
【特許文献４】
特開２００２−２１５５１２号公報（第３−６頁、第１−４図）
【０００９】
【発明が解決しようとする課題】
しかし、前記した特許文献１、２で開示されている技術では、ネットワーク上のコンテンツの所在情報を、放送波の垂直帰線消去期間に重畳させたり、デジタル放送のメタデータとして送信するため、番組制作システムや放送送信システムの変更が必要となる。このため、サービスの導入に費用がかかるとともに、専用の受信機が必要となり、普及が難しいという問題がある。
【００１０】
また、前記した特許文献３で開示されている技術では、時間連動型コンテンツ情報データベースを用意するだけで、放送送信システムやネットワーク上のＷＷＷサイトを変更することなくサービスを提供できるという利点がある。しかし、この技術では、放送番組を視聴する放送受信機におけるチャンネル選局操作と、利用者端末における放送番組に連動したネットワーク上のコンテンツの選択操作を、利用者がそれぞれ個別に行う必要があり、利便性を損ねていた。
【００１１】
また、前記した特許文献４で開示されている技術では、選択されるチャンネルと放送局との対応が地域によって異なる場合や、放送受信機が送出するチャンネル情報がメーカーや製品によって異なる場合、ナビゲーションサーバ側でその差異を吸収しなければならず、ナビゲーションサーバにおける処理が複雑になってしまう。また、ナビゲーションサーバが放送局毎に異なる場合、当該サーバ毎に放送局の差異を吸収する必要があるため、さらに、ナビゲーションサーバにおける処理が複雑になってしまう。そこで、円滑にサービスを提供するためには、放送受信機とナビゲーションサーバとの通信方法やサービスを提供する主体を統一することが望ましいが、現状では、統一した規格が存在せず、サービスの普及が困難であるという問題がある。
【００１２】
本発明は、以上のような問題点に鑑みてなされたものであり、放送受信機のチャンネルの選局操作だけで、放送番組に連動したコンテンツを自動的に提示することができるコンテンツ提示装置、コンテンツ提示方法及びコンテンツ提示プログラムを提供することを目的とする。
【００１３】
【課題を解決するための手段】
本発明は、前記目的を達成するために創案されたものであり、まず、請求項１に記載のコンテンツ提示装置は、放送番組に連動したコンテンツを提供するコンテンツサーバから、ネットワークを介して、前記コンテンツを取得し提示するコンテンツ提示装置であって、変換表記憶手段と、チャンネル情報取得手段と、問い合わせ情報取得手段と、所在情報取得手段と、コンテンツ取得手段と、コンテンツ出力手段とを備える構成とした。
【００１４】
かかる構成によれば、コンテンツ提示装置は、チャンネル情報取得手段によって、放送番組を受信する放送受信機で視聴者が選局したチャンネル情報を取得する。そして、コンテンツ提示装置は、問い合わせ情報取得手段によって、変換表記憶手段に記憶されている問い合わせ情報変換表を参照して、チャンネル情報に対応する問い合わせ情報を取得する。
【００１５】
なお、この問い合わせ情報変換表は、コンテンツの所在情報（アドレス）を提供する所在情報提供サーバに対して、所在情報の問い合わせを行う問い合わせ情報と、チャンネル情報とを関連付けたものである。この問い合わせ情報は、所在情報提供サーバに対する要求を記述したデータであって、所在情報提供サーバが複数存在する場合は、問い合わせ情報に所在情報提供サーバのアドレスを付加しておく。これによって、コンテンツ提示装置は、視聴者が選局したチャンネル情報から、問い合わせ情報を容易に取得することができる。
【００１６】
そして、コンテンツ提示装置は、所在情報取得手段によって、問い合わせ情報取得手段で取得した問い合わせ情報を、所在情報提供サーバへ送信し、コンテンツの所在情報を取得する。これによって、コンテンツ提示装置は、放送番組に連動したコンテンツの所在情報（アドレス）を、視聴者が入力しなくても、自動で取得することができる。
【００１７】
そして、コンテンツ提示装置は、コンテンツ取得手段によって、所在情報（アドレス）の判明したコンテンツをコンテンツサーバから取得し、コンテンツ出力手段によって、視聴者にコンテンツを提示する。
【００１８】
また、請求項２に記載のコンテンツ提示装置は、請求項１に記載のコンテンツ提示装置において、前記問い合わせ情報変換表を前記変換表記憶手段に登録する変換表登録手段を備え、前記変換表登録手段が、視聴者の視聴地域及び放送受信機の種類に基づいて、前記問い合わせ情報変換表を特定し、前記変換表記憶手段に登録することを特徴とする。
【００１９】
かかる構成によれば、コンテンツ提示装置は、視聴地域や放送受信機でチャンネル情報が異なる場合や、所在情報提供サーバ及びコンテンツサーバがチャンネル毎に異なる場合に、予め変換表登録手段によって、視聴地域や放送受信機に対応する問い合わせ情報変換表を特定し、変換表記憶手段に登録する。これによって、視聴地域や放送受信機による差異を、問い合わせ情報変換表だけで吸収することができる。
【００２０】
なお、問い合わせ情報変換表は、予め視聴地域及び放送受信機毎に複数の問い合わせ情報変換表を準備しておき、変換表登録手段が、その中から視聴者が視聴している視聴地域及び放送受信機に対応するものを選択して使用する。あるいは、ネットワーク上のサーバに、予め視聴地域及び放送受信機毎に複数の問い合わせ情報変換表を準備しておき、変換表登録手段が、視聴者が視聴している視聴地域及び放送受信機に適したものをダウンロードして使用することとしてもよい。
【００２１】
さらに、請求項３に記載のコンテンツ提示方法は、放送番組に連動したコンテンツを提供するコンテンツサーバから、ネットワークを介して、前記コンテンツを取得し提示するコンテンツ提示方法であって、チャンネル情報取得ステップと、問い合わせ情報取得ステップと、所在情報取得ステップと、コンテンツ取得ステップと、コンテンツ出力ステップとを含むことを特徴とする。
【００２２】
かかるステップによれば、コンテンツ提示方法は、チャンネル情報取得ステップで、視聴者が選局した放送受信機チャンネル情報を取得する。そして、コンテンツ提示方法は、問い合わせ情報取得ステップで、変換表記憶手段に記憶されている問い合わせ情報変換表を参照して、チャンネル情報に対応する問い合わせ情報を取得する。これによって、コンテンツ提示方法は、視聴者が選局したチャンネル情報から、問い合わせ情報を容易に取得することができる。
【００２３】
そして、コンテンツ提示方法は、所在情報取得ステップで、問い合わせ情報取得ステップで取得した問い合わせ情報を、所在情報提供サーバへ送信し、コンテンツの所在情報を取得する。これによって、コンテンツ提示方法は、放送番組に連動したコンテンツの所在情報（アドレス）を、視聴者が入力しなくても、自動で取得することができる。
【００２４】
そして、コンテンツ提示方法は、コンテンツ取得ステップで、所在情報（アドレス）の判明したコンテンツをコンテンツサーバから取得し、コンテンツ出力ステップで、視聴者にコンテンツを提示する。
【００２５】
また、請求項４に記載のコンテンツ提示プログラムは、放送番組に連動したコンテンツを提供するコンテンツサーバから、ネットワークを介して、前記コンテンツを取得し提示するために、コンピュータを、チャンネル情報取得手段、問い合わせ情報取得手段、所在情報取得手段、コンテンツ取得手段、コンテンツ出力手段として機能させることとした。
【００２６】
かかる構成によれば、コンテンツ提示プログラムは、チャンネル情報取得手段によって、視聴者が選局した放送受信機チャンネル情報を取得する。そして、コンテンツ提示プログラムは、問い合わせ情報取得手段によって、変換表記憶手段に記憶されている問い合わせ情報変換表を参照して、チャンネル情報に対応する問い合わせ情報を取得する。これによって、コンテンツ提示プログラムは、視聴者が選局したチャンネル情報から、問い合わせ情報を容易に取得することができる。
【００２７】
そして、コンテンツ提示プログラムは、所在情報取得手段によって、問い合わせ情報取得手段で取得した問い合わせ情報を、所在情報提供サーバへ送信し、コンテンツの所在情報を取得する。これによって、コンテンツ提示プログラムは、放送番組に連動したコンテンツの所在情報（アドレス）を、視聴者が入力しなくても、自動で取得することができる。
【００２８】
そして、コンテンツ提示プログラムは、コンテンツ取得手段によって、所在情報（アドレス）の判明したコンテンツをコンテンツサーバから取得し、コンテンツ出力手段によって、視聴者にコンテンツを提示する。
【００２９】
【発明の実施の形態】
以下では、まず、コンテンツ提示装置を含んだコンテンツ提示システムの概要について説明を行い、さらに、コンテンツ提示システムの具体的な構成と動作について説明を行う。そして、最後に、コンテンツ提示装置が保有している問い合わせ情報変換表の登録方法について、順次説明を行うこととする。
【００３０】
［コンテンツ提示システムの概要］
まず、図１を参照して、本発明におけるコンテンツ提示装置を含んだコンテンツ提示システムの概要について説明する。図１は、コンテンツ提示システムの概要を示す概略図である。図１に示すように、コンテンツ提示システム１００は、放送番組に連動したコンテンツを自動的に提示するシステムである。ここでは、コンテンツ提示システム１００を、視聴者側の装置である放送受信機１、コンテンツ提示装置２、表示装置３及び入力装置４と、コンテンツ提供側の装置である所在情報提供サーバ５及びコンテンツサーバ６とを、ネトワーク７で接続して構成した。
【００３１】
放送受信機１は、テレビジョン放送、ラジオ放送等の放送番組を受信して、視聴者に提示するものである。この放送受信機１は、例えば、テレビジョン受像機やラジオ受信機であって、リモコン１ａ等によって選局されたチャンネル（チャンネル情報）をコンテンツ提示装置２へ通知する。
【００３２】
コンテンツ提示装置２は、放送受信機１から通知されるチャンネル情報に基づいて、放送番組に連動（関連）したコンテンツを、ネットワーク７を介して取得して視聴者に提示するものである。このコンテンツ提示装置２は、所在情報提供サーバ５から、チャンネル情報に連動するコンテンツの所在情報を取得し、コンテンツサーバ６からコンテンツを取得して表示装置３に出力する。なお、このコンテンツ提示装置２は、ＣＰＵ、記憶手段等を備えた一般的なコンピュータ（例えば、パーソナルコンピュータ）で実現することが可能である。
【００３３】
表示装置３は、コンテンツ提示装置２から出力されるコンテンツ（表示データ）を表示するものである。この表示装置３は、例えばＣＲＴ、液晶ディスプレイ、プラズマディスプレイ、ＬＥＤディスプレイ等である。
【００３４】
入力装置４は、コンテンツ提示装置２に対して、種々の設定を行ったり、コンテンツを視聴する際の操作を行ったりするものである。例えば、キーボード４ａ、マウス４ｂ等である。
【００３５】
所在情報提供サーバ（ナビゲーションサーバ）５は、ネットワーク７に接続され、時刻に応じて放送番組に連動するコンテンツの所在情報（アドレス）を返信するサービスを提供するサーバである。
【００３６】
コンテンツサーバ（放送連動コンテンツサーバ）６は、ネットワーク７に接続され、放送番組に連動したコンテンツ（Ｗｅｂコンテンツ）を視聴者に提供するサーバ（Ｗｅｂサーバ）である。このコンテンツサーバ６で提供されるコンテンツは、ＵＲＬ等のコンテンツ所在情報によって指定される。
このように、コンテンツ提示システム１００を構成することで、視聴者は、放送番組を視聴する際に、リモコン１ａ等によって放送受信機１のチャンネルを選局するだけで、放送番組に連動したコンテンツを視聴することが可能になる。
【００３７】
例えば、視聴者が、リモコン１ａによって、放送受信機１で料理番組が放送されているチャンネルを選択（選局）したとき、コンテンツ提示装置２は、放送受信機１から送信されるチャンネル情報に基づいて、所在情報提供サーバ５から、選択したチャンネルで放送中の番組（料理番組）に連動するコンテンツの所在場所（アドレス）を取得する。そして、コンテンツ提示装置２は、その所在場所（アドレス）に基づいて、コンテンツサーバ６からコンテンツを取得し、表示装置３にコンテンツを提示する。例えば、料理番組に対して、コンテンツとして、その料理番組に連動したレシピが、自動的に表示装置３に表示される。これによって、視聴者は、放送番組のチャンネルを選局するだけで、その放送番組に連動（関連）したコンテンツを視聴することができる。
【００３８】
［コンテンツ提示システムの構成］
次に、図２を参照して、コンテンツ提示システム１００の構成について説明する。図２は、コンテンツ提示システム１００の詳細な構成を示すブロック構成図である。
【００３９】
＜放送受信機＞
放送受信機１は、テレビジョン放送、ラジオ放送等の放送番組を受信して、視聴者に提示するもので、ここでは、チャンネル選局手段１１と通信手段１２とを備えて構成した。
【００４０】
チャンネル選局手段１１は、視聴者が視聴する放送番組をチャンネルによって選局するものである。例えば、チャンネル選局手段１１は、図示していない赤外線受光部を備え、リモコン１ａ（図１）から赤外線によって送られるキー押下信号により、チャンネルの選局を行う。ここで選局されたチャンネルを示すチャンネル情報は、通信手段１２へ通知される。
【００４１】
通信手段１２は、チャンネル選局手段１１で選局されたチャンネル（チャンネル情報）をコンテンツ提示装置２のチャンネル情報取得手段２１へ送信するものである。この通信手段１２とチャンネル情報取得手段２１との通信は、ＲＳ２３２Ｃ等によるシリアル通信や、有線や無線によるＥｔｈｅｒｎｅｔ（登録商標）通信等によって行うことができる
【００４２】
なお、ここでチャンネル情報とは、選局されたチャンネルに応じて、例えば「１」〜「１２」、「ＢＳ５」〜「ＢＳ１１」、「Ｃ２０」のように、各チャンネル番号を表す数値や文字列、あるいは各チャンネルに割り当てられた「○○テレビ」、「△△放送」のような放送チャンネル名の文字列等に符号化された情報である。
【００４３】
＜コンテンツ提示装置＞
コンテンツ提示装置２は、放送受信機１から通知されるチャンネル情報に基づいて、放送番組に連動（関連）したコンテンツ（Ｗｅｂコンテンツ）を視聴者に提示するものである。ここでは、コンテンツ提示装置２を、チャンネル情報取得手段２１と、変換表記憶手段２２と、情報処理手段２３と、ネットワーク通信手段２４と、コンテンツ出力手段２５と、入力制御手段２６とを備えて構成した。
【００４４】
チャンネル情報取得手段２１は、放送受信機１の通信手段１２からチャンネル選局手段１１で選局されたチャンネル（チャンネル情報）を取得するものである。ここで取得したチャンネル情報は、情報処理手段２３の問い合わせ情報取得部２３ａへ通知される。
【００４５】
変換表記憶手段２２は、チャンネル情報と、所在情報提供サーバ５に対する問い合わせ情報とを関連付けた問い合わせ情報変換表２２ａを記憶したものである。この変換表記憶手段２２は、例えば、一般的なハードディスクや、メモリカードといった記憶手段である。
【００４６】
ここで、図４を参照（適宜図２参照）して、変換表記憶手段２２に記憶されている問い合わせ情報変換表２２ａについて説明する。図４は、問い合わせ情報変換表２２ａの内容の一例を示したものである。ここでは、問い合わせ情報変換表２２ａをチャンネル情報ＣＩとサービス問い合わせ情報ＳＩとを関連付けている。
【００４７】
チャンネル情報ＣＩは、選局されたチャンネルの情報を示すものであって、放送受信機１の通信手段１２から送信されてくるチャンネル情報に対応しているものである。例えば、チャンネル情報ＣＩは、「１」〜「１２」、「ＢＳ５」〜「ＢＳ１１」、「Ｃ２０」のように各チャンネル番号を表す数値や文字列、「○○テレビ」、「△△放送」のような放送チャンネル名の文字列等である。
【００４８】
サービス問い合わせ情報（問い合わせ情報）ＳＩは、各チャンネル情報ＣＩに対する問い合わせ先となる所在情報提供サーバ５のＵＲＬ（アドレス）に、問い合わせ式付加したものである。例えば、チャンネル情報ＣＩ「１」には、サービス問い合わせ情報ＳＩとして、「ｈｔｔｐ：／／ｗｗｗ．ｎｎｎ．ｃｏ．ｊｐ／ｃｇｉ−ｂｉｎ／ｎａｖ．ｃｇｉ？ｌｏｃａｔｉｏｎ＝ｔｏｋｙｏ＆ｃｈ＝Ｇ」が関連付けられている。ここで、「ｈｔｔｐ：／／ｗｗｗ．ｎｎｎ．ｃｏ．ｊｐ」は所在情報提供サーバ５のＵＲＬ（アドレス）を表しており、「ｃｇｉ−ｂｉｎ／ｎａｖ．ｃｇｉ？ｌｏｃａｔｉｏｎ＝ｔｏｋｙｏ＆ｃｈ＝Ｇ」は問い合わせ式を表している。また、この問い合わせ式は、ＣＧＩスクリプトで記述されており、「東京エリア（ｌｏｃａｔｉｏｎ＝ｔｏｋｙｏ）」の「チャンネルＧ（ｃｈ＝Ｇ）」に連動したコンテンツサーバ６を問い合わせるものである。
【００４９】
このように、問い合わせ情報変換表２２ａで、チャンネル情報ＣＩとサービス問い合わせ情報ＳＩとを関連付けておくことで、コンテンツ提示装置２が、選択されたチャンネル（放送番組）に対して、その放送番組に連動したコンテンツの所在情報を、所在情報提供サーバ５に問い合わせることが可能になる。
図１に戻って説明を続ける。
【００５０】
情報処理手段２３は、チャンネル情報（放送番組）に連動したコンテンツの所在情報を、所在情報提供サーバ５から取得し、コンテンツサーバ６からコンテンツを取得するものである。ここでは、情報処理手段２３を、問い合わせ情報取得部２３ａと、所在情報取得部２３ｂと、コンテンツ取得部２３ｃと、変換表更新部２３ｄとを備えて構成した。
【００５１】
問い合わせ情報取得部（問い合わせ情報取得手段）２３ａは、チャンネル情報取得手段２１で取得したチャンネル情報に基づいて、変換表記憶手段２２に記憶されている問い合わせ情報変換表２２ａを参照して、チャンネル情報に対応するサービス問い合わせ情報（問い合わせ情報）を読み込む（取得する）ものである。ここで取得したサービス問い合わせ情報は、所在情報取得部２３ｂへ通知される。
【００５２】
所在情報取得部（所在情報取得手段）２３ｂは、ネットワーク７を介して、所在情報提供サーバ５から、チャンネル情報（放送番組）に連動したコンテンツの所在情報を取得するものである。この所在情報取得部２３ｂでは、問い合わせ情報取得部２３ａで取得したサービス問い合わせ情報（問い合わせ情報）に基づいて、所在情報提供サーバ５に対して、コンテンツの所在情報の配信を要求し、所在情報提供サーバ５から所在情報を取得する。
【００５３】
例えば、問い合わせ情報が、図４に示したサービス問い合わせ情報ＳＩの場合、所在情報取得部２３ｂは、サービス問い合わせ情報ＳＩを、サーバ・クライアント間の通信プロトコルであるｈｔｔｐ（Ｈｙｐｅｒｔｅｘｔ  Ｔｒａｎｓｆｅｒ  Ｐｒｏｔｏｃｏｌ）のＧＥＴコマンドによってネットワーク７上に送信する。なお、このサービス問い合わせ情報ＳＩには、所在情報提供サーバ５のＵＲＬ（アドレス）が記述されている（例えば、「ｈｔｔｐ：／／ｗｗｗ．ｎｎｎ．ｃｏ．ｊｐ」）。そこで、そのＵＲＬに対応する所在情報提供サーバ５（例えば、５ａ）が、サービス問い合わせ情報ＳＩに含まれる問い合わせ式（例えば、「ｃｇｉ−ｂｉｎ／ｎａｖ．ｃｇｉ？ｌｏｃａｔｉｏｎ＝ｔｏｋｙｏ＆ｃｈ＝Ｇ」）を解析して、対応するコンテンツの所在情報（アドレス）をコンテンツ提示装置２に対して送信することで、所在情報取得部２３ｂがその所在情報（アドレス）を取得する。
【００５４】
なお、ここでは、図４に示したＵＲＬに問い合わせ式を含めたサービス問い合わせ情報ＳＩを、ＧＥＴコマンドによって送信する例を示したが、問い合わせ式を組み合わせてＵＲＬとは独立したデータとし、ｈｔｔｐのＰＯＳＴコマンドによって送信することとしてもよい。
【００５５】
コンテンツ取得部（コンテンツ取得手段）２３ｃは、所在情報取得部２３ｂで取得した所在情報（アドレス）に基づいて、コンテンツサーバ６（例えば、６ａ）から、コンテンツを取得するものである。このコンテンツ取得部２３ｃは、コンテンツを解析して、表示用のコンテンツデータを生成し、コンテンツ出力手段２５へ出力する。例えば、コンテンツが、Ｗｅｂコンテンツであって、ＨＴＭＬ（Ｈｙｐｅｒ  Ｔｅｘｔ  Ｍａｒｋｕｐ  Ｌａｎｇｕａｇｅ）等のマークアップ言語で記述されている場合は、その言語を解析し表示用のコンテンツデータを生成する。
【００５６】
変換表登録部（変換表登録手段）２３ｄは、変換表記憶手段２２に問い合わせ情報変換表２２ａを登録するものである。問い合わせ情報変換表２２ａは、視聴者の視聴地域や放送受信機１のメーカ、機種、型番等よって異なる場合がある。そこで、この変換表登録部２３ｄでは、視聴者の視聴地域や放送受信機１のメーカ、機種、型番等に基づいて、問い合わせ情報変換表２２ａを登録する。この登録の具体的な方法については後記する。
【００５７】
ネットワーク通信手段２４は、ネットワーク７を介して、所在情報提供サーバ５やコンテンツサーバ６とデータの送受信を行うものである。例えば、ネットワーク通信手段２４は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ
Ｐｒｏｔｏｃｏｌ）の通信プロトコルによってデータの送受信を行う。
【００５８】
所在情報取得部２３ｂが所在情報提供サーバ５から所在情報を取得する際や、コンテンツ取得部２３ｃがコンテンツサーバ６からコンテンツを取得する際には、ネットワーク通信手段２４を介してデータの送受信が行われる。
【００５９】
コンテンツ出力手段２５は、コンテンツ取得部２３ａから出力されるコンテンツデータを、表示装置３で表示される信号（表示データ）に変換して、表示装置３へ出力するものである。
【００６０】
入力制御手段２６は、キーボード４ａ、マウス４ｂ等の入力装置４から入力される入力信号を解析し、入力データとして情報処理手段２３へ通知するものである。この入力データは、キーボード４ａで押下されたキーの情報、マウス４ｂの移動量やクリックボタンの情報等のデータである。
【００６１】
＜所在情報提供サーバ＞
所在情報提供サーバ（ナビゲーションサーバ）５は、放送番組の放送時刻と、その放送番組に連動するコンテンツの所在情報（ＵＲＬ等）とを関連付けた時間連動型コンテンツ情報データベース（図示せず）を持ち、コンテンツ提示装置２からの問い合わせ（問い合わせ情報）に対して、時刻に応じてコンテンツの所在情報を返信するものである。このコンテンツの所在情報は、コンテンツがＷｅｂコンテンツの場合、このコンテンツを提供するコンテンツサーバ６上のアドレスとなる。
【００６２】
この所在情報提供サーバ５は、複数（所在情報提供サーバ５ａ、５ｂ…５ｎ）存在してもよい。例えば、放送局毎に所在情報提供サーバ５を持たせる構成としてもよい。
【００６３】
＜コンテンツサーバ＞
コンテンツサーバ（放送連動コンテンツサーバ）６は、放送番組に連動したコンテンツ（Ｗｅｂコンテンツ）を、コンテンツ提示装置２に提供するサーバ（Ｗｅｂサーバ）である。このコンテンツサーバ６も、複数（コンテンツサーバ６ａ、６ｂ…６ｎ）存在してもよい。
【００６４】
以上、本発明におけるコンテンツ提示装置２を含んだコンテンツ提示システム１００の構成について説明したが、本発明はこれに限定されるものではない。ここでは、チャンネル情報取得手段２１を、放送受信機１から送信されるチャンネル情報を取得することとしたが、放送受信機１のリモコンから直接チャンネル情報を取得することとしてもよい。
【００６５】
また、コンテンツ提示装置２は、各手段をコンピュータにおいて機能プログラムとして実現することも可能であり、各機能プログラムを結合してコンテンツ提示プログラムとして動作させることも可能である。
【００６６】
［コンテンツ提示システムの動作］
次に、図３を参照（適宜図２参照）して、主にコンテンツ提示装置２の動作を中心として、コンテンツ提示システムの動作について説明する。図３は、コンテンツ提示システム１００の動作を示すフローチャートである。
【００６７】
まず、視聴者が、放送受信機１において視聴したい放送番組（チャンネル）を選局する（ステップＳ１）。ここで、放送受信機１の画面上に選局された放送番組が表示される。そして、選局されたチャンネルは、放送受信機１の通信手段１２を介してコンテンツ提示装置２のチャンネル情報取得手段２１へチャンネル情報として送信される（ステップＳ２）。このチャンネル情報は、チャンネル情報取得手段２１で受信され、問い合わせ情報取得部２３ａに通知される。
【００６８】
そして、問い合わせ情報取得部２３ａが、チャンネル情報に基づいて、変換表記憶手段２２に記憶されている問い合わせ情報変換表２２ａを参照し、チャンネル情報に対応するサービス問い合わせ情報を取得する（ステップＳ３）。このサービス問い合わせ情報は、所在情報取得部２３ｂへ通知される。
【００６９】
なお、サービス問い合わせ情報は、例えば、図４に示したように、チャンネル情報に対応付けて、所在情報提供サーバ５のＵＲＬ（アドレス）に問い合わせ式を付加したものである。
【００７０】
そして、コンテンツ提示装置２は、所在情報取得部２３ｂによって、ネットワーク通信手段２４を介して、所在情報提供サーバ５へサービス問い合わせ情報を送信し（ステップＳ４）、所在情報提供サーバ５から、その返信としてコンテンツの所在情報を受信する（ステップＳ５）。この所在情報は、コンテンツ取得部２３ｃへ通知される。
【００７１】
次に、コンテンツ提示装置２は、コンテンツ取得部２３ｃによって、ネットワーク通信手段２４を介して、所在情報（アドレス）に対応するコンテンツサーバ６に対して、コンテンツを要求し（ステップＳ６）、コンテンツサーバ６から、放送番組に連動したコンテンツを受信する（ステップＳ７）。
【００７２】
そして、コンテンツ提示装置２は、コンテンツ取得部２３ｃで受信（取得）したコンテンツを、コンテンツ出力手段２５を介して表示装置３へ出力することで、コンテンツを視聴者に提示する（ステップＳ８）。
【００７３】
以上の動作により、コンテンツ提示装置２は、視聴者が放送受信機１で選局操作を行うだけで、コンテンツ提示装置２が自動的に選局したチャンネル（放送番組）に対応するコンテンツを、ネットワーク７を介して、コンテンツサーバ６から取得し、表示装置３に提示することが可能になる。
【００７４】
［問い合わせ情報変換表の登録方法］
次に、図２を適宜参照して、コンテンツ提示装置２の変換表登録部２３ｄが、変換表記憶手段２２に問い合わせ情報変換表２２ａを登録する方法について説明を行う。
【００７５】
コンテンツ提示装置２は、視聴者の視聴地域や放送受信機１のメーカ、機種、型番等を特定し、その特定された各情報に基づいて問い合わせ情報変換表２２ａを登録する。
【００７６】
まず、コンテンツ提示装置２が、視聴者の視聴地域を特定するには、例えば、以下の（Ａ１）〜（Ａ３）に示した方法により行う。
（Ａ１）郵便番号等の地域を特定する情報により、視聴地域を特定する方法。
この方法は、変換表登録部２３ｄが、郵便番号を入力する欄を設けた画面を表示装置３の画面上に表示させ、視聴者が、キーボード４ａ等の入力装置４から郵便番号を直接入力することで実現される。
【００７７】
（Ａ２）放送受信機１のチャンネルを設定する際に用いる、エリアコード等の地域を特定する情報により、視聴地域を特定する方法。
この方法は、変換表登録部２３ｄが、エリアコードを入力する欄を設けた画面を表示装置３の画面上に表示させ、視聴者が、キーボード４ａ等の入力装置４からエリアコードを直接入力することで実現される。あるいは、チャンネル情報取得手段２１が、放送受信機１からエリアコードを受信して変換表登録部２３ｄに通知することとしてもよい。
【００７８】
（Ａ３）場所情報を獲得することのできる装置から地域を特定する情報を取得し、視聴地域を特定する方法。
この方法は、コンテンツ提示装置２に、場所情報を獲得可能な装置から、場所情報を受信する受信手段（図示せず）を備え、その場所情報を変換表登録部２３ｄに通知する。この場所情報を獲得可能な装置とは、例えば、ＧＰＳ（Ｇｌｏｂａｌ  Ｐｏｓｉｔｉｏｎｉｎｇ  Ｓｙｓｔｅｍ）や携帯電話等であって、場所情報としては、緯度、経度等を表す情報である。
【００７９】
以上、例示した（Ａ１）〜（Ａ３）の方法によって、コンテンツ提示装置２の変換表登録部２３ｄは、視聴者の視聴地域を、郵便番号、エリアコード、緯度及び経度等によって特定する。
【００８０】
また、コンテンツ提示装置２が、放送受信機１のメーカ、機種、型番等を特定するには、例えば、以下の（Ｂ１）又は（Ｂ２）に示した方法により行う。
（Ｂ１）放送受信機１のメーカ、機種、型番等を視聴者が直接入力する方法。
この方法は、変換表登録部２３ｄが、メーカ、機種、型番等を入力する欄を設けた画面を表示装置３の画面上に表示させ、視聴者が、キーボード４ａ等の入力装置４から、それらの情報を直接入力することで実現される。
【００８１】
（Ｂ２）メーカ、機種、型番等の情報を、放送受信機１から取得する方法。
この方法は、チャンネル情報取得手段２１が、視聴者が利用する放送受信機１から、メーカ、機種、型番等の情報を受信して、変換表登録部２３ｄに通知することで実現できる。
【００８２】
以上、例示した（Ｂ１）又は（Ｂ２）の方法によって、コンテンツ提示装置２の変換表登録部２３ｄは、視聴者が利用する放送受信機１のメーカ、機種、型番等を特定する。
【００８３】
以上説明した方法によって特定した視聴者の視聴地域や、放送受信機１のメーカ、機種、型番等に基づいて、コンテンツ提示装置２の変換表登録部２３ｄは、問い合わせ情報変換表２２ａを変換表記憶手段２２上に登録（準備）する。
【００８４】
この変換表登録部２３ｄが、問い合わせ情報変換表２２ａを変換表記憶手段２２に登録するには、例えば、以下の（Ｃ１）又は（Ｃ２）に示した方法により行う。
（Ｃ１）予め記憶手段（例えば、変換表記憶手段２２）に異なる視聴地域や、放送受信機１のメーカ、機種、型番等に対応する問い合わせ情報変換表を複数用意しておき、変換表登録部２３ｄが、視聴者の視聴地域や放送受信機に適した問い合わせ情報変換表を選択し、登録を行う。
【００８５】
（Ｃ２）視聴者が利用する放送受信機１や、ネットワーク７上の問い合わせ情報変換表を提供するサーバ（図示せず）から、視聴者の視聴地域や放送受信機に適した問い合わせ情報変換表をダウンロードし、登録を行う。
【００８６】
このように、視聴者の視聴地域や、放送受信機１のメーカ、機種、型番等に対応した問い合わせ情報変換表２２ａを用いることで、コンテンツ提示装置２は、視聴地域、放送受信機、所在情報提供サーバの問い合わせ先等の差異を吸収することができ、所在情報提供サーバ（ナビゲーションサーバ）５とコンテンツサーバ（放送連動コンテンツサーバ）６で提供されるナビゲーションサービスを実現するシステム（コンテンツ提示システム）を柔軟に構築することができる。
【００８７】
【発明の効果】
以上説明したとおり、本発明に係るコンテンツ提示装置、コンテンツ提示方法及びコンテンツ提示プログラムでは、以下に示す優れた効果を奏する。
【００８８】
請求項１、請求項３又は請求項４に記載の発明によれば、視聴者が放送受信機で放送番組（チャンネル）を選局するだけで、その放送番組に連動したコンテンツ（例えばＷｅｂコンテンツ）を、ネットワークを介して取得することができる。これによって、視聴者は、放送番組に関連するコンテンツの所在情報（アドレス）を意識することなく、放送番組の時間に連動したコンテンツを視聴することができる。
【００８９】
請求項２に記載の発明によれば、視聴地域や放送受信機でチャンネル情報が異なる場合や、所在情報提供サーバの問い合わせ先等がチャンネル毎に異なる場合に、問い合わせ情報変換表だけで、それらの差異を吸収することができる。これによって、コンテンツ提示システムを柔軟に構築することができる。
【図面の簡単な説明】
【図１】本発明の実施の形態に係るコンテンツ提示装置を含んだコンテンツ提示システムの概要を示す概略図である。
【図２】本発明の実施の形態に係るコンテンツ提示装置を含んだコンテンツ提示システムの構成を示すブロック構成図である。
【図３】本発明の実施の形態に係るコンテンツ提示システムの動作を示すフローチャートである。
【図４】本発明の実施の形態に係るコンテンツ提示装置で使用される問い合わせ情報変換表の一例を示す図である。
【符号の説明】
１      放送受信機
１１    チャンネル選択手段
１２    通信手段
２      コンテンツ提示装置（利用者端末）
２１    チャンネル情報取得手段
２２    変換表記憶手段
２２ａ  問い合わせ情報変換表
２３    情報処理手段
２３ａ  問い合わせ情報取得部（問い合わせ情報取得手段）
２３ｂ  所在情報取得部（所在情報取得手段）
２３ｃ  コンテンツ取得部（コンテンツ取得手段）
２３ｄ  変換表登録部（変換表登録手段）
２４    ネットワーク通信手段
２５    コンテンツ出力手段
２６    入力制御手段
３      表示装置
４      入力装置
４ａ    キーボード
４ｂ    マウス
５      所在情報提供サーバ（ナビゲーションサーバ）
５ａ、５ｂ…５ｎ  所在情報提供サーバ（ナビゲーションサーバ）
６      コンテンツサーバ（放送連動コンテンツサーバ）
６ａ、６ｂ…６ｎ  コンテンツサーバ（放送連動コンテンツサーバ）
７      ネットワーク
【図１】
2004318322.tif 000003
【図２】
2004318322.tif 000004
【図３】
2004318322.tif 000005
【図４】
2004318322.tif 000006